(57)【要約】【課題】メニュー項目の表示、選択性に優れ、特に選択頻度の高いメニュー項目の選択性に優れる入力表示装置を提供する。【解決手段】メニュー項目をメニュー入力部から選択して入力するメニュー入力表示部１００と、複数のファンクション項目を表示するファンクション表示部及び選択部を備え、設定されたファンクション項目の選択部を選択して入力するファンクション入力表示部２００と、メニュー入力部から入力されたメニュー項目の入力回数をカウントするメニュー入力カウント部３００と、カウントされた回数に基づいてファンクション入力表示部２００のファンクション表示部に表示するファンクション項目を変更して表示し、変更して表示されたファンクション表示部に対応する選択部の機能を変更して設定する制御部４００と、から構成する。これにより、使用頻度の高い機能をファンクション入力表示部２００に自動変更、自動登録する。【選択図】図１
2010072717.tif 000002
【特許請求の範囲】
【請求項１】
情報表示部に表示されたメニュー項目を選択してメニュー入力部から入力するメニュー入力表示部と、
設定により機能が予め設定された複数のファンクション項目を表示するファンクション表示部及び選択部を備え、前記設定されたファンクション項目の前記選択部を選択して入力するファンクション入力表示部と、
前記メニュー入力部から入力された前記メニュー項目の使用状況を判断する判断部と、
前記判断部の判断に基づいて前記ファンクション入力表示部の前記ファンクション表示部に表示するファンクション項目を変更して表示し、変更して表示された前記ファンクション表示部に対応する選択部の機能を変更して設定する制御部と、
を有することを特徴とする入力表示装置。
【請求項２】
前記制御部は、前記メニュー項目の使用状況に応じて前記ファンクション入力表示部の表示及び機能を変更することを特徴とする請求項１に記載の入力表示装置。
【請求項３】
前記制御部は、前記選択部の操作により前記ファンクション入力表示部の表示及び機能を変更しない設定とすることを特徴とする請求項１に記載の入力表示装置。
【発明の詳細な説明】
【技術分野】
【０００１】
本発明は、入力表示装置に関する。
【背景技術】
【０００２】
従来、情報の入力表示、例えば、現在位置を検出して地図データに基づくナビゲーションを行うメニュー表示システムであって、検出された現在位置に対応する地域に関連付けられたメニュー項目を取得するメニュー項目取得手段と、このメニュー項目を記憶するメニュー項目記憶手段と、メニュー項目を用いてナビゲーションのメニュー表示を制御するメニュー制御手段とを備える入力表示装置がある（特許文献１参照）。
【０００３】
この入力表示装置において、メニュー項目記憶手段には、更新可能なメニュー項目と予め設定された固定のメニュー項目が記憶されている。これにより、メニュー表示の際、地域に関連付けられたメニュー項目を含めて更新可能なメニュー項目に加えて、固定のメニュー項目を用いたメニュー表示が行われる。よって、通常はデフォルトのメニュー項目を利用できるので、例えばナビゲーション実行時に特別なメニュー表示が不要である場合は、手間がかからず簡単なメニュー表示を実現できるとされている。
【０００４】
また、上記の入力表示装置において、更新可能なメニュー項目と固定のメニュー項目のいずれをメニュー表示に用いるかを選択可能なメニュー選択手段を更に備える形態も示されている。これにより、メニュー表示の際、メニュー選択手段により更新可能なメニュー項目と固定のメニュー項目を選択的にメニュー表示することができる。よって、ユーザはデフォルトのメニュー項目と地域に関連付けられたメニュー項目等とを臨機応変に切り替えて利用でき、メニュー表示の使い勝手を一層向上させることができるとされている。
【特許文献１】特開２００１−２８２８２４号公報
【発明の開示】
【発明が解決しようとする課題】
【０００５】
しかし、特許文献１の入力表示装置は、メニュー選択手段として予め固定のメニュー項目と更新可能なメニュー項目が用意されているが、更新可能なメニュー項目は検出された現在位置に対応する地域に関連付けられたメニュー項目を取得して得られる情報である。また、ユーザのできる操作は、デフォルトのメニュー項目と地域に関連付けられたメニュー項目等とを臨機応変に切り替えて利用することである。このような操作は、カーナビゲーション等では効果的であるが、車両に搭載された種々の車載機器の入力表示装置としては操作性が十分ではないという問題があった。
【０００６】
従って、本発明の目的は、メニュー項目の表示、選択性に優れ、特に選択頻度の高いメニュー項目の選択性に優れる入力表示装置を提供することにある。
【課題を解決するための手段】
【０００７】
［１］本発明は、上記目的を達成するため、情報表示部に表示されたメニュー項目を選択してメニュー入力部から入力するメニュー入力表示部と、設定により機能が予め設定された複数のファンクション項目を表示するファンクション表示部及び選択部を備え、前記設定されたファンクション項目の前記選択部を選択して入力するファンクション入力表示部と、前記メニュー入力部から入力された前記メニュー項目の使用状況を判断する判断部と、前記判断部の判断に基づいて前記ファンクション入力表示部の前記ファンクション表示部に表示するファンクション項目を変更して表示し、変更して表示された前記ファンクション表示部に対応する選択部の機能を変更して設定する制御部と、を有することを特徴とする入力表示装置を提供する。
【０００８】
［２］前記制御部は、前記メニュー項目の使用状況に応じて前記ファンクション入力表示部の表示及び機能を変更することを特徴とする上記［１］に記載の入力表示装置であってもよい。
【０００９】
［３］また、前記制御部は、前記選択部の操作により前記ファンクション入力表示部の表示及び機能を変更しない設定とすることを特徴とする上記［１］に記載の入力表示装置であってもよい。
【発明の効果】
【００１０】
本発明によれば、メニュー項目の表示、選択性に優れ、特に選択頻度の高いメニュー項目の選択性に優れる入力表示装置を提供することができる。
【発明を実施するための最良の形態】
【００１１】
[本発明の実施の形態]
図１は、本発明の実施の形態に係る入力表示装置の構成ブロック図である。図２は、本発明の実施の形態に係る入力表示装置が車両に搭載された状態を示す斜視図である。図３は、本発明の実施の形態に係る入力表示装置のトップメニューが情報表示部に表示された状態を示す表示外観図である。図４は、本発明の実施の形態に係る入力表示装置の詳細メニューが情報表示部に表示された状態を示す表示外観図である。図５は、本発明の実施の形態に係る入力表示装置のファンクションスイッチに新たなファンクション項目が登録された状態を示す表示外観図である。図６は、本発明の実施の形態に係る入力表示装置の制御フローチャートである。
【００１２】
（入力表示装置１の構成）
図１に示すように、本発明の実施の形態に係る入力表示装置１は、情報表示部に表示されたメニュー項目をメニュー入力部から選択して入力するメニュー入力表示部１００と、設定により機能が予め設定された複数のファンクション項目を表示するファンクション表示部及び選択部を備え、設定されたファンクション項目の選択部を選択して入力するファンクション入力表示部２００と、メニュー入力部から入力されたメニュー項目の使用状況を判断する判断部の一形態として入力回数をカウントするメニュー入力カウント部３００と、メニュー入力カウント部３００によりカウントされた回数に基づいてファンクション入力表示部２００のファンクション表示部に表示するファンクション項目を変更して表示し、変更して表示されたファンクション表示部に対応する選択部の機能を変更して設定する制御部４００と、から構成されている。ここで、上記のメニュー入力カウント部３００以外に、例えば、メニュー入力された時間間隔の平均値を算出したり、又、メニュー入力された時間の累積値を算出することにより、メニュー項目の使用頻度、使用状況を判断するものもメニュー入力部から入力されたメニュー項目の使用状況を判断する判断部として機能することができる。
【００１３】
メニュー入力表示部１００及びファンクション入力表示部２００は、図２に示すように、例えば、車両１０のインスツルメントパネル２０において運転者あるいは搭乗者が操作可能な位置に装着されている。
【００１４】
図３に示すように、メニュー入力表示部１００は、情報表示部としての液晶等の表示モニタ１１０と、透明電極（ＩＴＯ）等により表示モニタ１１０上に形成され表示モニタ１１０に表示されたメニュー項目を選択するタッチセンサ式のメニュー入力部１２０から構成されている。また、ファンクション入力表示部２００は、ファンクション項目を液晶等で表示するファンクション表示部２１０及びプッシュボタンでファンクション項目を選択する選択部２２０から構成され、ファンクション入力表示部２００はそれぞれのファンクション表示部２１０及び選択部２２０の組合せが４個並置された構成としている。また、それぞれのファンクション入力表示部２００には、後述する変更禁止を示すためのＬＥＤ等による点灯部２３０が設けられている。
【００１５】
（入力表示ＥＣＵ３０）
入力表示ＥＣＵ（Electric Control Unit）３０は、メニュー入力表示部１００から入力されたメニュー項目の入力回数をカウントするメニュー入力カウント部３００、カウントされた回数に基づいてファンクション入力表示部２００のファンクション表示部２１０に表示するファンクション項目を変更して表示し、変更して表示されたファンクション表示部２１０に対応する選択部２２０の機能を変更して設定する制御部４００、及び、制御フローを実行するためのプログラム及びメニュー項目が階層構造で記憶されている記憶部５００から構成されている。メニュー入力カウント部３００と制御部４００は、ＣＰＵ(Central Processing Unit)で図６に示す制御フローを実行可能なように構成され、必要に応じて、記憶部５００を参照する。
【００１６】
記憶部５００には、表示モニタ１１０に表示するメニュー項目が階層構造でメニュー情報として記憶されている。本実施の形態では、図３に一例として示すように、階層１のＧＵＩ画面としてのメニュー項目がトップメニューとして表示される。具体的には、走行系、ライト、サンシェード、その他の４項目がトップメニューとして表示されるが、操作選択可能な範囲で種々の表示が可能である。トップメニューから選択されるメニュー項目の下には、階層２のＧＵＩ画面として、例えば、図４に示すような、サンシェードメニュー、具体的には、ドアＬ、ドアＲ、リア、一括の４項目が下位メニューとして表示されるが、操作選択可能な範囲で種々の表示が可能である。これらの階層構造メニュー、及び、ファンクション表示部２１０に表示される表示マーク等が記憶部５００に記憶されていると共に、図５に示すような、新たなファンクション項目が登録された場合のメッセージ文字、音声等のデータが記憶されている。
【００１７】
（入力表示装置１の動作）
図６に示す本発明の実施の形態に係る入力表示装置１の制御フローチャートで以下動作説明する。車両１０のイグニションスイッチがＡＣＣ、ＯＮ等にされると、入力表示装置１がスタートし、表示モニタ１１０にトップメニューが表示される（Ｓｔｅｐ１）。このトップメニューは、制御部４００から記憶部５００が参照されて階層１のメニュー項目が表示される。
【００１８】
運転者等の操作者が表示モニタ１１０上のメニュー入力部１２０をタッチして「サンシェード」を選択すると、サンシェードメニュー項目、ドアＬ、ドアＲ、リア、一括の４項目が下位メニューとして表示される（Ｓｔｅｐ２）。
【００１９】
ここで、操作者が表示モニタ１１０上のメニュー入力部１２０をタッチして「リア」を選択すると、入力表示ＥＣＵ３０のメニュー入力カウント部３００でメニュー項目「リア」をカウントする（Ｓｔｅｐ３）。メニュー入力カウント部３００でのカウント値は制御部４００へ出力されると共に、制御部４００は図示しないリアサンシェードの開閉制御を行なう。
【００２０】
制御部４００では、カウントされたメニュー項目「リア」が、他のファンクション入力表示部２００のカウント値を超えたかどうかを判断する（Ｓｔｅｐ４）。超えている場合は、Ｓｔｅｐ４へ進み、超えていない場合はＳｔｅｐ１へ戻る。ここで、カウント値は、車両１０の購入時からの累積値、直近１年の累積値、直近１ヶ月の累積値等、種々のカウント値を設定でき、適宜変更して設定することも可能である。
【００２１】
超えている場合は、ファンクション入力表示部２００のファンクション表示部２１０の表示を変更する（Ｓｔｅｐ５）。ファンクション表示部２１０は液晶表示とされているので、記憶部５００からリアサンシェードに対応した表示マークを読み出して変更して表示する。すなわち、図４に示すように、ファンクション入力表示部２００のうちでカウント値が最も小さい「ＦＭ２」の表示からリアサンシェードを示す表示マークに自動的に変更されて登録される。
【００２２】
変更されたファンクション表示部２１０に対応して、選択部２２０の機能を変更して設定する。すなわち、「ＦＭ２」のオーディオ制御からリアサンシェードの開閉制御に自動的に機能変更されて登録される（Ｓｔｅｐ６）。
【００２３】
上記のようにファンクション入力表示部２００が自動的に表示及び機能変更され場合は、図５に示すように、例えば、「リアサンシェードの開閉がファンクションスイッチに登録されました。」のメッセージ表示がされる（Ｓｔｅｐ７）。また、上記のメッセージを音声出力により操作者に知らせる設定にしてもよい。
【００２４】
上記した一連のフロー制御により、ファンクション入力表示部２００の表示及び機能が変更登録されると、以降の操作では、リアサンシェードの開閉制御を行なう場合は、図５に示すファンクション入力表示部２００の左端の選択部２２０のプッシュボタンを押圧操作すればよいことになる。
【００２５】
（自動変更の禁止）
以上説明したファンクション入力表示部２００の表示及び機能変更は、すべてのファンクション入力表示部２００が対象とされているが、必要に応じて自動変更の対象外とすることができる。図３〜５に示すファンクション入力表示部２００には点灯部２３０が設けられており、例えば、選択部２２０のプッシュボタンを所定時間だけ長押しすると点灯部２３０が点灯して自動変更の対象外とすることができる。この対象外とされた場合は、図６に示したフローチャートのＳｔｅｐ４〜Ｓｔｅｐ６の被変更対象から除外される。これにより、使用頻度は少ないが操作者にとって必要な機能選択が確保される。
【００２６】
（本発明の実施の形態の効果）
上記示した本発明の実施の形態によれば以下のような効果を有する。
（１）ファンクション入力表示部２００に表示されたＧＵＩ画面から選択されたメニュー項目を常時カウントし、この累積カウント値に基づいてファンクション入力表示部２００の表示及び機能変更を自動変更、自動登録する。従って、操作者が手動による登録等をしなくても、使用頻度の高いメニューに基づく機能を自動的にファンクション入力表示部２００に登録でき便利である。
（２）特に、車両の運転に伴う車載機器の操作では、運転中にメニュー入力表示部１００を操作することが多く、自動的に機能登録がされることにより、安全運転にも繋がる効果を有する。
（３）自動変更、自動登録する場合の判断は、ファンクション入力表示部２００が操作された回数に基づくカウント値によるが、このカウント値は、車両１０の購入時からの累積値、直近１年の累積値、直近１ヶ月の累積値等、種々のカウント値を設定でき、また、適宜変更して設定することも可能である。
（４）ファンクション入力表示部２００の表示及び機能変更は、すべてのファンクション入力表示部２００が対象とされているが、必要に応じて自動変更の対象外とすることができる。この機能により、使用頻度は少ないが操作者にとって必要な機能選択が確保され、利便性が向上する。
【００２７】
尚、本発明は、上記した実施の形態に限定されず、本発明の技術思想を逸脱あるいは変更しない範囲内で種々の変形が可能である。
【図面の簡単な説明】
【００２８】
【図１】図１は、本発明の実施の形態に係る入力表示装置の構成ブロック図である。
【図２】図２は、本発明の実施の形態に係る入力表示装置が車両に搭載された状態を示す斜視図である。
【図３】図３は、本発明の実施の形態に係る入力表示装置のトップメニューが情報表示部に表示された状態を示す表示外観図である。
【図４】図４は、本発明の実施の形態に係る入力表示装置の詳細メニューが情報表示部に表示された状態を示す表示外観図である。
【図５】図５は、本発明の実施の形態に係る入力表示装置のファンクションスイッチに新たなファンクション項目が登録された状態を示す表示外観図である。
【図６】図６は、本発明の実施の形態に係る入力表示装置の制御フローチャートである。
【符号の説明】
【００２９】
１…入力表示装置、１０…車両、２０…インスツルメントパネル、３０…ＥＣＵ、１００…メニュー入力表示部、１１０…表示モニタ、１２０…メニュー入力部、２００…ファンクション入力表示部、２１０…ファンクション表示部、２２０…選択部、２３０…点灯部、３００…メニュー入力カウント部、４００…制御部、５００…記憶部
【図１】
2010072717.tif 000003
【図２】
2010072717.tif 000004
【図３】
2010072717.tif 000005
【図４】
2010072717.tif 000006
【図５】
2010072717.tif 000007
【図６】
2010072717.tif 000008